(57)【要約】【課題】混合水栓の幅方向の設置位置を簡便に調整できるようにすること。【解決手段】温調ハンドル２０が側部に取付けられた水栓本体２と設置面Ｂａとの間で互いの給湯口３，Ｂ１同士と給水口４，Ｂ２同士とを個別に接続する湯側継手管８及び水側継手管９を有する混合水栓１である。これら継手管８，９は、それらの水栓本体２と設置面Ｂａとに対する接続口８Ａ，８Ｂ同士と接続口９Ａ，９Ｂ同士とが互いに偏心した配置関係となって幅方向Ｗに４つともが同一平面上に並ぶクランク形状を有する。混合水栓１は、更に、湯側継手管８を水栓本体２に対して接続口８Ａを基軸にクランクの偏心方向を幅方向Ｗの一側に向けた第１の向き状態Ｐ１と他側に向けた第２の向き状態Ｐ２とに回転切換え可能とされ、水側継手管９は、湯側継手管８の切換えられた向きに対応する偏心形状のものが適宜選択的に適用されるものとされて、水栓本体２の取付位置が選択可能とされる。【選択図】図１２
2020051526.tif 000002
【特許請求の範囲】
【請求項１】
操作ハンドルが幅方向の側部に取り付けられた水栓本体と設置面との間で互いの給湯口同士と給水口同士とを個別に流路接続する一対の継手管を有する混合水栓であって、
前記一対の継手管が、前記水栓本体と前記設置面との対向方向にそれぞれに対する接続口を向けると共に、当該接続口同士が互いに偏心した配置関係となって前記幅方向に４つともが同一平面上に並ぶ形となって設けられるクランク形状を有し、
当該混合水栓が、更に、前記一対の継手管のうちの一方を、前記水栓本体又は前記設置面に対して、対応する前記接続口を基軸にクランクの偏心方向を前記幅方向の一側に向けた第１の向き状態と前記幅方向の他側に向けた第２の向き状態とに回転による切り換えが可能な首振り構造を有し、前記一対の継手管のうちの他方は、前記一方の切り換えられた前記第１の向き状態又は前記第２の向き状態に対応する偏心形状を有するものが適宜選択的に適用されるものとされて、前記設置面に対する前記水栓本体の取付位置を前記第１の向き状態と前記第２の向き状態とに選択可能とされる混合水栓。
【請求項２】
請求項１に記載の混合水栓であって、
更に、前記一対の継手管の前記設置面に接続される側の管路部を前記幅方向に直線状に延びる長孔内に通した状態として前記一対の継手管と前記設置面との間に挟持されるガイド固定体を有し、
前記ガイド固定体が、前記水栓本体との係合により前記水栓本体の前記設置面に対する移動を規制する規制係合部を有する混合水栓。
【請求項３】
請求項２に記載の混合水栓であって、
前記ガイド固定体が、前記水栓本体と前記設置面との間を延びる前記一対の継手管をひとまとめに取り囲む取り囲み部を更に有する混合水栓。
【発明の詳細な説明】
【技術分野】
【０００１】
本発明は、混合水栓に関する。詳しくは、水栓本体と設置面との間で互いの給湯口同士と給水口同士とを個別に流路接続する一対の継手管を有する混合水栓に関する。
【背景技術】
【０００２】
従来、混合水栓において、水栓本体の給湯口及び給水口と、設置面側の給湯口及び給水口と、を一対の継手管によって個別に接続する構成が知られている（特許文献１）。同特許文献１に開示の混合水栓では、一対の継手管が互いに異なる偏心量を持つクランク形状に形成されている。それにより、個々の継手管の偏心向きを切り換えることで、取り付け先の給湯口と給水口との間の寸法に合わせて、接続口間の寸法を様々に変化させることができるようになっている。
【先行技術文献】
【特許文献】
【０００３】
【特許文献１】実開昭６０−８６６９１号公報
【発明の概要】
【発明が解決しようとする課題】
【０００４】
上記従来技術では、各継手管の向きを変えることで、各々の接続口間の寸法を変えることはできる。しかし、例えば、水栓本体の側部に温調ハンドルや切換ハンドル等の操作ハンドルが設けられている場合、同操作ハンドルと側壁との間の間隔を広げるような調整は行えない。本発明は、上記問題を解決するものとして創案されたものであって、本発明が解決しようとする課題は、混合水栓の設置面に対する幅方向の取付位置を簡便に調整できるようにすることにある。
【課題を解決するための手段】
【０００５】
上記課題を解決するために、本発明の混合水栓は次の手段をとる。
【０００６】
すなわち、本発明の混合水栓は、操作ハンドルが幅方向の側部に取り付けられた水栓本体と設置面との間で互いの給湯口同士と給水口同士とを個別に流路接続する一対の継手管を有する混合水栓である。一対の継手管が、水栓本体と設置面との対向方向にそれぞれに対する接続口を向けると共に、これら接続口同士が互いに偏心した配置関係となって幅方向に４つともが同一平面上に並ぶ形となって設けられるクランク形状を有する。混合水栓が、更に、一対の継手管のうちの一方を、水栓本体又は設置面に対して、対応する接続口を基軸にクランクの偏心方向を幅方向の一側に向けた第１の向き状態と幅方向の他側に向けた第２の向き状態とに回転による切り換えが可能な首振り構造を有し、一対の継手管のうちの他方は、一方の切り換えられた第１の向き状態又は第２の向き状態に対応する偏心形状を有するものが適宜選択的に適用されるものとされて、設置面に対する水栓本体の取付位置を第１の向き状態と第２の向き状態とに選択可能とされる。
【０００７】
上記構成によれば、一対の継手管のうちの一方を第１の向き状態又は第２の向き状態に切り換えて、他方をその向き状態に対応する偏心形状を持つものにするという簡便な構成により、幅方向の側部に操作ハンドルが設けられた混合水栓の設置面に対する幅方向の取付位置を調整することができる。
【０００８】
また、本発明の混合水栓は、更に次のように構成されていてもよい。混合水栓が、更に、一対の継手管の設置面に接続される側の管路部を幅方向に直線状に延びる長孔内に通した状態として一対の継手管と設置面との間に挟持されるガイド固定体を有する。ガイド固定体が、水栓本体との係合により水栓本体の設置面に対する移動を規制する規制係合部を有する。
【０００９】
上記構成によれば、一対の継手管の設置面に接続される側の管路部により位置決めされた状態として固定されるガイド固定体により、水栓本体を設置面に対して適切な取付位置に固定することができる。
【００１０】
また、本発明の混合水栓は、更に次のように構成されていてもよい。ガイド固定体が、水栓本体と設置面との間を延びる一対の継手管をひとまとめに取り囲む取り囲み部を更に有する。
【００１１】
上記構成によれば、ガイド固定体の取り囲み部によって、水栓本体と設置面との間を延びる一対の継手管を見栄え良く安定した形で覆い隠すことができる。
【図面の簡単な説明】
【００１２】
【図１】第１の実施形態の混合水栓の概略構成を表した斜視図である。
【図２】混合水栓の分解斜視図である。
【図３】混合水栓の組立斜視図である。
【図４】図１の正面図である。
【図５】図４の部分断面図である。
【図６】図４のＶＩ−ＶＩ線断面図である。
【図７】混合水栓を第１の向き状態として設置面に取り付ける状態を表した部分断面図である。
【図８】図７の状態に適合するもう一方の継手管をセットした状態を表した部分断面図である。
【図９】混合水栓を第１の向き状態として設置面に取り付けた状態を表した部分断面図である。
【図１０】混合水栓を第２の向き状態として設置面に取り付ける状態を表した部分断面図である。
【図１１】図１０の状態に適合するもう一方の継手管をセットした状態を表した部分断面図である。
【図１２】混合水栓を第２の向き状態とした時の適宜選択されるもう一方の継手管の種類を表した正面図である。
【発明を実施するための形態】
【００１３】
以下に、本発明を実施するための形態について、図面を用いて説明する。
【００１４】
《第１の実施形態》
始めに、本発明の第１の実施形態に係る混合水栓１の構成について、図１〜図１２を用いて説明する。なお、以下の説明において、前後上下左右等の各方向を示す場合には、各図中に示されたそれぞれの方向を指すものとする。
【００１５】
図１に示すように、本実施形態に係る混合水栓１は、浴槽の上縁面を成す天板Ｂ上に設置される、いわゆる台付きタイプの水栓金具として構成されている。上記混合水栓１は、天板Ｂの下側から供給される湯と水とを内部で混合して吐出することができる機能を備える。具体的には、混合水栓１は、上記供給される湯水の混合割合を調節する温調機能と、混合した湯水の吐水・止水を切り替える切替機能と、吐出する湯水の吐出量を調節する吐出量の調節機能と、を備える。
【００１６】
上記温調機能は、水栓本体２の向かって左側の側部（幅方向Ｗの側部）に取り付けられた略円筒型の温調ハンドル２０により操作されるようになっている。また、吐止水の切替機能と吐出量の調節機能は、水栓本体２の向かって右側の側部（幅方向Ｗの側部）に取り付けられた略円筒型の切替ハンドル３０により操作されるようになっている。具体的には、使用者が温調ハンドル２０を所望の回転位置に合わせることにより、水栓本体の内部で混合される湯水の混合割合が切替ハンドル３０の回転位置に応じた設定温度となるように調節されるようになっている。
【００１７】
また、使用者が切替ハンドル３０を所定の止水位置（図示位置）から上向き又は下向きに回すことにより、その回転移動量に応じた量の湯水を水栓本体２の上部の第１の吐出口５又は第２の吐出口６から吐出できるようになっている。本実施形態では、切替ハンドル３０を上記所定の止水位置から下向きに回すことにより、水栓本体２の天板面上に設けられた第１の吐出口５から湯水が吐出されるようになっている。また、切替ハンドル３０を上記所定の止水位置から上向きに回すことにより、水栓本体２の上部裏側（後側）の面上に設けられた第２の吐出口６から湯水が吐出されるようになっている。
【００１８】
第１の吐出口５には、不図示の吐水管（カラン）が取り付けられている。また、第２の吐出口６には、Ｌ字形のシャワーエルボ４０及び不図示のシャワーホースを介して不図示のシャワーヘッドが取り付けられている。温調ハンドル２０及び切替ハンドル３０は、それぞれ、水栓本体２に対して、幅方向Ｗに延びる軸回りに回転操作が可能な状態に取り付けられている。ここで、上記水栓本体２の左側の側部に取り付けられた温調ハンドル２０が、本発明の「操作ハンドル」に相当する。上記混合水栓１の左側には、浴室の横壁Ｓが幅方向Ｗに対向している。
【００１９】
水栓本体２は、横長な略円筒形状に形成されている。上記水栓本体２は、図２に示すように、その底面に、不図示の給湯源から湯の供給を受ける丸孔状の給湯口３と、不図示の給水源から水の供給を受ける丸孔状の給水口４と、を幅方向Ｗに並んで有する。上記給湯口３には、クランク状に折り曲げられた偏心形状を持つ湯側継手管８の図示上側の接続口８Ａが流路接続されている。具体的には、給湯口３に取り付けられた袋ナット３Ａに湯側継手管８の上側の接続口８Ａが螺着されることにより、同接続口８Ａが給湯口３に流路接続されている。
【００２０】
上記湯側継手管８は、そのクランク状に折れ曲がって図示下側の接続口８Ｂへと延びる管路部８Ｃが、天板Ｂ上の対応する位置に貫通して形成された丸孔状の湯側差込口Ｂ１に上側から差し込まれて天板Ｂに固定されている（図４〜図５参照）。そして、上記湯側継手管８は、その天板Ｂの湯側差込口Ｂ１を下側へ抜けた先の接続口８Ｂに、不図示の給湯源から延びる給湯管が流路接続されている。上記湯側継手管８の各接続口８Ａ，８Ｂは、水栓本体２と天板Ｂとが対向する上下方向（対向方向Ｌ）に真っ直ぐ向けられている。
【００２１】
ここで、上記湯側継手管８の管路部８Ｃが差し込まれる天板Ｂの湯側差込口Ｂ１は、不図示の給湯源から延びる給湯管の接続口である給湯口（本発明の「給湯口」に相当。）と同軸線上の位置にある構成とされる。したがって、同湯側差込口Ｂ１が、上記天板Ｂ側の不図示の給湯口と位置的には同じ意味合いを持つ構成となる。
【００２２】
上記湯側継手管８は、詳しくは、図３に示すように、その図示下側の接続口８Ｂへと延びる管路部８Ｃが、水栓本体２を覆う樹脂製の本体カバー７に下側から装着される樹脂製のガイドカバー１０の座板１１に形成された長孔１１Ａに通された状態として、同長孔１１Ａから下側へ延び出す形に設けられている。より詳しくは、湯側継手管８は、図６に示すように、その管路部８Ｃの途中箇所に形成されたフランジ状に張り出す座部８Ｅが、上記ガイドカバー１０の長孔１１Ａの周囲の座板１１上に上側から当接された状態として、管路部８Ｃが長孔１１Ａに通された状態とされている。ここで、ガイドカバー１０が本発明の「ガイド固定体」に相当する。
【００２３】
上記構成の湯側継手管８は、図４〜図５に示すように、上記長孔１１Ａから下側へ延び出す管路部８Ｃが、天板Ｂの湯側差込口Ｂ１内に上側から差し込まれることにより、ガイドカバー１０の座板１１が天板Ｂ上の設置面Ｂａに当接する位置にて、その差し込み方向の移動が規制された状態となる。上記状態では、湯側継手管８は、その座部８Ｅがガイドカバー１０の座板１１を天板Ｂとの間に挟み込む形にセットされる状態となる。
【００２４】
したがって、次に、上記湯側継手管８の湯側差込口Ｂ１を下側に貫通した先の端部から、不図示の締結ナットを管路部８Ｃの外周壁に形成された雄ねじ８Ｄに螺合させて、同締結ナットを天板Ｂの裏面に締結される位置まで締め付ける。これにより、上記湯側継手管８の座部８Ｅと不図示の締結ナットとの間に天板Ｂとガイドカバー１０の座板１１とが一体的に押し挟まれた状態に締結される。以上により、湯側継手管８の図示下側へ延びる管路部８Ｃが、天板Ｂの湯側差込口Ｂ１に上側から差し込まれた状態として、天板Ｂに一体的に組み付けられる。
【００２５】
また、図２に示すように、上記と同様に、給水口４には、クランク状に折り曲げられた偏心形状を持つ水側継手管９の図示上側の接続口９Ａが流路接続されている。具体的には、給水口４に取り付けられた袋ナット４Ａに水側継手管９の上側の接続口９Ａが螺着されることにより、同接続口９Ａが給水口４に流路接続されている。
【００２６】
上記水側継手管９は、そのクランク状に折れ曲がって図示下側の接続口９Ｂへと延びる管路部９Ｃが、天板Ｂ上の対応する位置に貫通して形成された丸孔状の水側差込口Ｂ２に上側から差し込まれて天板Ｂに固定されている（図４〜図５参照）。そして、上記水側継手管９は、その天板Ｂの水側差込口Ｂ２を下側へ抜けた先の接続口９Ｂに、不図示の給水源から延びる給水管が流路接続されている。上記水側継手管９の各接続口９Ａ，９Ｂは、水栓本体２と天板Ｂとが対向する上下方向（対向方向Ｌ）に真っ直ぐ向けられている。
【００２７】
ここで、上記水側継手管９の管路部９Ｃが差し込まれる天板Ｂの水側差込口Ｂ２は、不図示の給水源から延びる給水管の接続口である給水口（本発明の「給水口」に相当。）と同軸線上の位置にある構成とされる。したがって、同水側差込口Ｂ２が、上記天板Ｂ側の不図示の給水口と位置的に同じ意味合いを持つ構成となる。
【００２８】
上記水側継手管９は、詳しくは、図３に示すように、その図示下側の接続口９Ｂへと延びる管路部９Ｃが、上述した樹脂製のガイドカバー１０の座板１１に形成された長孔１１Ａに通された状態として、同長孔１１Ａから下側へ延び出す形に設けられている。より詳しくは、水側継手管９は、図６に示すように、その管路部９Ｃの途中箇所に形成されたフランジ状に張り出す座部９Ｅが、上記ガイドカバー１０の長孔１１Ａの周囲の座板１１上に上側から当接された状態として、管路部９Ｃが長孔１１Ａに通された状態とされている。
【００２９】
上記構成の水側継手管９は、図４〜図５に示すように、上記長孔１１Ａから下側へ延び出す管路部９Ｃが、天板Ｂの水側差込口Ｂ２内に上側から差し込まれることにより、ガイドカバー１０の座板１１が天板Ｂ上の設置面Ｂａに当接する位置にて、その差し込み方向の移動が規制された状態となる。上記状態では、水側継手管９は、その座部９Ｅがガイドカバー１０の座板１１を天板Ｂとの間に挟み込む形にセットされる状態となる。
【００３０】
したがって、次に、上記水側継手管９の水側差込口Ｂ２を下側に貫通した先の端部から、不図示の締結ナットを管路部９Ｃの外周壁に形成された雄ねじ９Ｄに螺合させて、同締結ナットを天板Ｂの裏面に締結される位置まで締め付ける。これにより、上記水側継手管９の座部９Ｅと不図示の締結ナットとの間に天板Ｂとガイドカバー１０の座板１１とが一体的に押し挟まれた状態に締結される。以上により、水側継手管９の図示下側へ延びる管路部９Ｃが、天板Ｂの水側差込口Ｂ２に上側から差し込まれた状態として、天板Ｂに一体的に組み付けられる。
【００３１】
そして、上記組み付けにより、ガイドカバー１０が、その長孔１１Ａ内に通された湯側継手管８の管路部８Ｃと水側継手管９の管路部９Ｃとによって、天板Ｂ上の設置面Ｂａに対する前後方向の移動が規制された状態に固定される。それにより、同ガイドカバー１０の装着された水栓本体２を覆う本体カバー７も同じように固定され、水栓本体２が定位置に固定される。上記本体カバー７は、図２に示すように、水栓本体２の給湯口３や給水口４等の他部材と接続される箇所を除く略全域を覆う横長な箱形状に形成されている。上記本体カバー７は、水栓本体２に一体的に固定された状態に組み付けられている。
【００３２】
更に、本体カバー７は、その前縁部位の幅方向Ｗの全域から垂下板状に張り出す張出板部７Ａを有する形状とされる。ガイドカバー１０は、本体カバー７に下側から嵌め込まれることにより本体カバー７と合致する、上向き開口の横長な箱形状に形成されている。具体的には、ガイドカバー１０は、横長板状の座板１１と、座板１１の周縁から角筒状に立ち上がる取り囲み部１２と、を有する上向き開口の横長な箱形状に形成されている。
【００３３】
座板１１には、幅方向Ｗに真っ直ぐ延びる形に貫通する長孔１１Ａが形成されている。上記長孔１１Ａは、その前後方向の孔幅が、湯側継手管８の管路部８Ｃ及び水側継手管９の管路部９Ｃの外径よりも僅かに大きいが、これらに形成されたフランジ状に張り出す座部８Ｅ，９Ｅの外径よりは小さくなっている。上記ガイドカバー１０は、その長孔１１Ａ内に湯側継手管８の管路部８Ｃと水側継手管９の管路部９Ｃとを通して、その上側の開口を本体カバー７の張出板部７Ａの裏側の底面上に押し込むようにセットすることにより、本体カバー７と一体感のある横長寸胴な略箱型形状を成す形に組み付けられる（図３参照）。
【００３４】
具体的には、図２に示すように、ガイドカバー１０には、その取り囲み部１２の開口側の縁部の四隅箇所に、本体カバー７の底面上の対応する四隅箇所に形成された係合孔７Ｂ内に下側から押し込まれることで嵌合する突ピン状の規制係合部１３が形成されている。したがって、上記各規制係合部１３を対応する各係合孔７Ｂ内に嵌合させるようにガイドカバー１０を本体カバー７に組み付けることで、ガイドカバー１０が本体カバー７と一体的に組み付けられる（図３参照）。上記組み付けにより、水栓本体２から下側へ延びる湯側継手管８及び水側継手管９の管路の一部が、ガイドカバー１０の取り囲み部１２によって外部から見えないように全周囲に亘って見栄え良く被覆される。
【００３５】
そして、上記組み付けにより、ガイドカバー１０の長孔１１Ａ内に通された湯側継手管８の管路部８Ｃ及び水側継手管９の管路部９Ｃが、それぞれ、長孔１１Ａによる規制により回転止めされた状態に保持される。上記ガイドカバー１０の長孔１１Ａは、図５に示すように、湯側継手管８及び水側継手管９を、それぞれ、幅方向Ｗに真っ直ぐ偏心させる向きに保持するように形成されている。すなわち、ガイドカバー１０の長孔１１Ａは、水栓本体２の給湯口３及び給水口４と上下方向に対向する位置を通るように幅方向Ｗに真っ直ぐ延びる形に形成されている。
【００３６】
上記ガイドカバー１０の長孔１１Ａによる位置規制により、湯側継手管８は、水栓本体２に対して、その給湯口３に接続される上側の接続口８Ａと、天板Ｂの湯側差込口Ｂ１に通される下側の接続口８Ｂと、が互いに幅方向Ｗに真っ直ぐ偏心する回転向きに保持されるようになっている。また、水側継手管９も、水栓本体２に対して、その給水口４に接続される上側の接続口９Ａと、天板Ｂの水側差込口Ｂ２に通される下側の接続口９Ｂと、が互いに幅方向Ｗに真っ直ぐ偏心する回転向きに保持されるようになっている。それにより、湯側継手管８の各接続口８Ａ，８Ｂ及び水側継手管９の各接続口９Ａ，９Ｂの４つともが、互いに幅方向Ｗに延びる同一平面（鉛直平面）上に並んだ状態に保持されるようになっている。
【００３７】
したがって、湯側継手管８と水側継手管９とが互いにハの字を成す形に角度を付けて組み付けられるような構成と比べて、混合水栓１全体としての前後方向の設置スペースを小さく抑えることができる。また、湯側継手管８と水側継手管９とを取り囲むガイドカバー１０も、前後幅の嵩張らない形に形成することができる。
【００３８】
上述した混合水栓１は、湯側継手管８と水側継手管９とが、それぞれ、天板Ｂの湯側差込口Ｂ１と水側差込口Ｂ２とに対する差し込み位置から、右側に偏心した回転向きの状態（第２の向き状態Ｐ２）とされて天板Ｂ上に設置されている。上記湯側継手管８と水側継手管９とは、本実施形態では、互いに同一の形状及び大きさを有する構成とされている。上記回転向きによる設置により、混合水栓１は、浴槽の左側の横壁Ｓから右側に幅寸法Ｗ２だけ広く離間された状態として天板Ｂ上に設置される。それにより、混合水栓１は、その向かって左側の側部に取り付けられた温調ハンドル２０と左側の横壁Ｓとの間に広い操作スペースが確保されて、温調ハンドル２０の操作を窮屈感なく快適に行えるようになっている。
【００３９】
しかし、上記混合水栓１は、図７に示すように、湯側継手管８を、天板Ｂの湯側差込口Ｂ１に対する差し込み位置から左側に偏心した回転向きの状態（第１の向き状態Ｐ１）として、天板Ｂ上に設置することもできるようになっている。具体的には、先ず、上記のように湯側継手管８を第１の向き状態Ｐ１にセットする。次に、図８に示すように、その時の水栓本体２の給水口４と天板Ｂの水側差込口Ｂ２との偏心寸法に合う形を持つ水側継手管９を水栓本体２にセットする。これにより、図９に示すように、上記第１の向き状態Ｐ１とした湯側継手管８と水側継手管９とを、天板Ｂの湯側差込口Ｂ１と水側差込口Ｂ２とに差し込んで天板Ｂ上に組み付けることができる。ここで、湯側継手管８が本発明の「一対の継手管のうちの一方」に相当する。また、水側継手管９が本発明の「一対の継手管のうちの他方」に相当する。
【００４０】
なお、本実施形態では、図５で前述したように、湯側継手管８と水側継手管９とが互いに同一の形状及び大きさを有する構成とされている。そのため、図８〜図９に示すように、湯側継手管８が第１の向き状態Ｐ１とされた時に適用される水側継手管９は、先の水側継手管９と同一のものが左右反対向きにセットされたものとなる。上記回転向きによる設置により、混合水栓１は、図９に示すように、浴槽の左側の横壁Ｓから右側に幅寸法Ｗ１だけ狭く離間された状態として天板Ｂ上に設置される。その場合には、混合水栓１は、その向かって左側の側部に取り付けられた温調ハンドル２０と左側の横壁Ｓとの間の操作スペースが狭くなるため、温調ハンドル２０の操作がしづらくなる。
【００４１】
したがって、その場合には、図１０に示すように、先の場合とは逆に、先ず、湯側継手管８を、天板Ｂの湯側差込口Ｂ１に対する差し込み位置から右側に偏心した回転向きの状態（第２の向き状態Ｐ２）にセットする。次に、図１１に示すように、その時の水栓本体２の給水口４と天板Ｂの水側差込口Ｂ２との偏心寸法に合う形を持つ水側継手管９（先と同じもの）を水栓本体２にセットする。これにより、図５に示すように、上記第２の向き状態Ｐ２とした湯側継手管８と水側継手管９とを、天板Ｂの湯側差込口Ｂ１と水側差込口Ｂ２とに差し込んで天板Ｂに組み付けることができる。
【００４２】
なお、上記湯側継手管８を第２の向き状態Ｐ２とした時に適用される水側継手管９は、先述もしたように、その時の水栓本体２の給水口４と天板Ｂの水側差込口Ｂ２との偏心寸法に合う形を持つものが適宜選択的に適用されるものである。したがって、図１２に示すように、同混合水栓１の設置される場所の給水口４と水側差込口Ｂ２との偏心寸法に合わせて、対応する形を持つ水側継手管９、９'、９"を適宜選択してセットすればよい。
【００４３】
上記のような混合水栓１の幅方向Ｗの組み付け位置の切り換えは、上述したように、湯側継手管８を基軸として湯側継手管８の偏心方向の向きを左右に変えて、水側継手管９、９'、９"をその時の形の合うものに交換しても良い。しかし、水側継手管９を基軸として水側継手管９の偏心方向の向きを左右に変えて、湯側継手管（８）をその時の形の合うものに交換するようにしても良い。上記混合水栓１の幅方向Ｗの組み付け位置は、混合水栓１の設置場所の制約や使用目的に応じて、第１の向き状態Ｐ１で設置するか第２の向き状態Ｐ２で設置するかを組み付け施工時に適宜自由に選択すればよい。
【００４４】
以上をまとめると、第１の実施形態に係る混合水栓１は次のような構成となっている。すなわち、操作ハンドル（２０）が幅方向（Ｗ）の側部に取り付けられた水栓本体（２）と設置面（Ｂａ）との間で互いの給湯口（３，Ｂ１）同士と給水口（４，Ｂ２）同士とを個別に流路接続する一対の継手管（８，９）を有する混合水栓（１）である。一対の継手管（８，９）が、水栓本体（２）と設置面（Ｂａ）との対向方向（Ｌ）にそれぞれに対する接続口（８Ａ，８Ｂ，９Ａ，９Ｂ）を向けると共に、これら接続口（８Ａ，８Ｂ，９Ａ，９Ｂ）同士が互いに偏心した配置関係となって幅方向（Ｗ）に４つともが同一平面上に並ぶ形となって設けられるクランク形状を有する。
【００４５】
混合水栓（１）が、更に、一対の継手管（８，９）のうちの一方（８）を、水栓本体（２）又は設置面（Ｂａ）に対して、対応する接続口（８Ａ）を基軸にクランクの偏心方向を幅方向（Ｗ）の一側に向けた第１の向き状態（Ｐ１）と幅方向（Ｗ）の他側に向けた第２の向き状態（Ｐ２）とに回転による切り換えが可能な首振り構造を有し、一対の継手管（８，９）のうちの他方（９）は、一方（８）の切り換えられた第１の向き状態（Ｐ１）又は第２の向き状態（Ｐ２）に対応する偏心形状を有するものが適宜選択的に適用されるものとされて、設置面（Ｂａ）に対する水栓本体（２）の取付位置を第１の向き状態（Ｐ１）と第２の向き状態（Ｐ２）とに選択可能とされる。
【００４６】
上記構成によれば、一対の継手管（８，９）のうちの一方（８）を第１の向き状態（Ｐ１）又は第２の向き状態（Ｐ２）に切り換えて、他方（９）をその向き状態に対応する偏心形状を持つものにするという簡便な構成により、幅方向（Ｗ）の側部に操作ハンドル（２０）が設けられた混合水栓（１）の設置面（Ｂａ）に対する幅方向（Ｗ）の取付位置を調整することができる。
【００４７】
また、混合水栓（１）が、更に、一対の継手管（８，９）の設置面（Ｂａ）に接続される側の管路部（８Ｃ，９Ｃ）を幅方向（Ｗ）に直線状に延びる長孔（１１Ａ）内に通した状態として一対の継手管（８，９）と設置面（Ｂａ）との間に挟持されるガイド固定体（１０）を有する。ガイド固定体（１０）が、水栓本体（２）との係合により水栓本体（２）の設置面（Ｂａ）に対する移動を規制する規制係合部（１３）を有する。上記構成によれば、一対の継手管（８，９）の設置面（Ｂａ）に接続される側の管路部（８Ｃ，９Ｃ）により位置決めされた状態として固定されるガイド固定体（１０）により、水栓本体（２）を設置面（Ｂａ）に対して適切な取付位置に固定することができる。
【００４８】
また、ガイド固定体（１０）が、水栓本体（２）と設置面（Ｂａ）との間を延びる一対の継手管（８，９）をひとまとめに取り囲む取り囲み部（１２）を更に有する。上記構成によれば、ガイド固定体（１０）の取り囲み部（１２）によって、水栓本体（２）と設置面（Ｂａ）との間を延びる一対の継手管（８，９）を見栄え良く安定した形で覆い隠すことができる。
【００４９】
《その他の実施形態について》
以上、本発明の実施形態を１つの実施形態を用いて説明したが、本発明は上記実施形態のほか、以下に示す様々な形態で実施することができるものである。
【００５０】
１．本発明の混合水栓は、浴槽の上縁面等の天板上に設置されるいわゆる台付きタイプの他、浴室やキッチンの壁に設置される壁付きタイプにも適用可能である。
【００５１】
２．水栓本体の幅方向の側部に取り付けられる操作ハンドルは、温調ハンドルの他、切替ハンドルであってもよい。また、その他の機能を操作する目的で設けられる操作ハンドルであってもよい。
【００５２】
３．ガイド固定部は、水栓本体との係合により水栓本体の設置面に対する移動を規制する構成を備えるものであれば良く、必ずしも一対の継手管をひとまとめに取り囲む取り囲み部を有した構成でなくても良い。ガイド固定部は、水栓本体に直接当接して水栓本体の移動を規制するものでも良いが、上記実施形態で示したように、本体カバーとの嵌合を介して水栓本体の移動を間接的に規制するものであっても良い。
【符号の説明】
【００５３】
１      混合水栓
２      水栓本体
３      給湯口
３Ａ    袋ナット
４      給水口
４Ａ    袋ナット
５      第１の吐出口
６      第２の吐出口
７      本体カバー
７Ａ    張出板部
７Ｂ    係合孔
８      湯側継手管（一対の継手管のうちの一方）
８Ａ    接続口
８Ｂ    接続口
８Ｃ    管路部
８Ｄ    雄ねじ
８Ｅ    座部
９      水側継手管（一対の継手管のうちの他方）
９Ａ    接続口
９Ｂ    接続口
９Ｃ    管路部
９Ｄ    雄ねじ
９Ｅ    座部
９'    水側継手管
９"    水側継手管
１０    ガイドカバー（ガイド固定体）
１１    座板
１１Ａ  長孔
１２    取り囲み部
１３    規制係合部
２０    温調ハンドル（操作ハンドル）
３０    切替ハンドル
４０    シャワーエルボ
Ｂ      天板
Ｂａ    設置面
Ｂ１    湯側差込口（給湯口）
Ｂ２    水側差込口（給水口）
Ｌ      対向方向
Ｗ      幅方向
Ｗ１    幅寸法
Ｗ２    幅寸法
Ｓ      横壁
Ｐ１    第１の向き状態
Ｐ２    第２の向き状態
【図１】
2020051526.tif 000003
【図２】
2020051526.tif 000004
【図３】
2020051526.tif 000005
【図４】
2020051526.tif 000006
【図５】
2020051526.tif 000007
【図６】
2020051526.tif 000008
【図７】
2020051526.tif 000009
【図８】
2020051526.tif 000010
【図９】
2020051526.tif 000011
【図１０】
2020051526.tif 000012
【図１１】
2020051526.tif 000013
【図１２】
2020051526.tif 000014